(57)【特許請求の範囲】
【請求項１】
映像を送出する送出装置および該送出装置から送出された映像を受信する受信装置を備えた映像配信システムにおける送出装置であって、
前記映像配信システムには受信装置で実行される個別プログラムが設けられ、
送出する映像を蓄積する映像蓄積手段と、
番組に関する情報を蓄積する番組関連情報データベースと、
顧客に関する情報を蓄積する顧客データベースと、
送出する映像を暗号化する暗号化手段と、
前記番組関連情報データベースを参照し番組情報を生成する番組情報生成手段と、
前記顧客データベースと番組関連情報データベースを参照し、顧客ＩＤと、該顧客ＩＤ向けのメッセージの組を有して構成され、前記個別プログラムを指定する個別ＥＭＭメッセージを生成する個別ＥＭＭメッセージ生成手段と、
前記番組関連情報データベースを参照し共通ＥＭＭメッセージを生成する共通ＥＭＭメッセージ生成手段と、
前記暗号化手段により暗号化された映像、前記番組情報生成手段の出力である番組情報、前記個別ＥＭＭメッセージ生成手段の出力である個別ＥＭＭメッセージおよび前記共通ＥＭＭメッセージ生成装置の出力である共通ＥＭＭメッセージを多重化して前記受信装置に伝送する多重化伝送手段と
を備えたことを特徴とする映像配信システムにおける送出装置。
【請求項２】
映像を送出する送出装置および該送出装置から送出された映像を受信する受信装置を備えた映像配信システムにおける受信装置であって、
前記映像配信システムには受信装置で実行される個別プログラムが設けられ、
顧客ＩＤおよび該顧客ＩＤ向けのメッセージの組を有して構成された前記個別プログラムを指定する個別ＥＭＭメッセージと、暗号化された映像と、番組情報と、番組関連情報に基づいて生成された共通ＥＭＭメッセージとを多重化して伝送する多重化伝送手段を備えた送出装置から伝送されてきた情報を分離する受信情報分離手段と、
前記受信情報分離手段により分離された番組情報を復号する番組情報復号手段と、
前記番組情報復号手段の出力に基づいて再生可否の判定を行う再生可否判定手段と、
前記再生可否判定手段の判定結果に応じて、前記受信情報分離手段により分離された暗号化されている映像を復号化する復号化手段と、
前記個別プログラムと、前記受信情報分離手段により分離された共通ＥＭＭメッセージおよび個別ＥＭＭメッセージとを用いて、前記復号化された映像の受信装置上での表示を作成する顧客映像作成手段と
を備えたことを特徴とする映像配信システムにおける受信装置。
【請求項３】
前記送出装置は前記受信装置で実行される個別プログラムを送出する個別プログラム送出手段をさらに備え、
前記受信装置は、前記個別プログラム送出手段から前記個別プログラムをダウンロードすることを特徴とする請求項１に記載の映像配信システムにおける送出装置。
【請求項４】
前記送出装置は前記受信装置で実行される個別プログラムを送出する個別プログラム送出手段をさらに備え、
前記受信装置は、前記個別プログラム送出手段から前記個別プログラムをダウンロードすることを特徴とする請求項２に記載の映像配信システムにおける受信装置。
【請求項５】
映像を送出する送出装置および該送出装置から送出された映像を受信する受信装置を備えた映像配信システムにおける送出方法であって、
前記映像配信システムが、前記受信装置で実行される個別プログラムを設けるステップと、
番組情報生成手段が、番組に関する情報を蓄積した番組関連情報データベースを参照して番組情報を生成する番組情報生成ステップと、
共通ＥＭＭメッセージ生成手段が、前記番組関連情報データベースを参照し共通ＥＭＭメッセージを生成する共通ＥＭＭメッセージ生成ステップと、
個別ＥＭＭメッセージ生成手段が、顧客に関する情報を蓄積した顧客データベースおよび前記番組関連情報データベースを参照して、顧客ＩＤと、該顧客ＩＤ向けのメッセージの組を有して構成され、前記個別プログラムを指定する個別ＥＭＭメッセージを生成する個別ＥＭＭメッセージ生成ステップと、
前記番組関連情報データベースを参照し共通ＥＭＭメッセージを生成する共通ＥＭＭメッセージ生成手段と、
暗号化手段が、送出する映像を暗号化する暗号化ステップと、
多重化伝送手段が、前記暗号化ステップにより暗号化された映像、前記番組情報生成ステップにより生成された番組情報、前記個別ＥＭＭメッセージ生成ステップにより生成された個別ＥＭＭメッセージおよび前記共通ＥＭＭメッセージ生成ステップにより生成された共通ＥＭＭメッセージを多重化して前記受信装置に伝送する多重化伝送ステップと
を備えたことを特徴とする映像配信システムにおける送出方法。
【請求項６】
映像を送出する送出装置および該送出装置から送出された映像を受信する受信装置を備えた映像配信システムにおける受信方法であって、
前記映像配信システムが、前記受信装置で実行される個別プログラムを設けるステップと、
顧客ＩＤおよび該顧客ＩＤ向けのメッセージの組を有して構成された前記個別プログラムを指定する個別ＥＭＭメッセージと、暗号化された映像と、番組情報と、番組関連情報に基づいて生成された共通ＥＭＭメッセージとを多重化して伝送する多重化伝送手段を備えた送出装置から伝送されてきた情報を、受信情報分離手段が分離する受信情報分離ステップと、
番組情報復号手段が、前記受信情報分離ステップにより分離された番組情報を復号する番組情報復号ステップと、
再生可否判定手段が、前記番組情報復号ステップで復号された番組情報に基づいて再生可否の判定を行う再生可否判定ステップと、
復号化手段が、前記再生可否判定ステップの判定結果に応じて、前記受信情報分離ステップにより分離された暗号化されている映像を復号化する復号化ステップと、
顧客映像作成手段が、前記個別プログラムと、前記受信情報分離ステップにより分離された共通ＥＭＭメッセージおよび個別ＥＭＭメッセージとを用いて、前記復号化ステップにより復号化された映像の、受信装置上での表示を作成する顧客映像作成ステップと
を備えたことを特徴とする映像配信システムにおける受信方法。
【請求項７】
個別プログラム送出手段が、前記受信装置で実行される個別プログラムを送出する個別プログラム送出ステップをさらに備え、
前記受信装置は、前記個別プログラム送出手段から前記個別プログラムをダウンロードすることを特徴とする請求項５に記載の映像配信システムにおける送出方法。
【請求項８】
前記送出装置には、前記受信装置で実行される個別プログラムを送出する個別プログラム送出手段が設けられ、
前記受信装置のダウンロード手段が、前記個別プログラム送出手段から前記個別プログラムをダウンロードするダウンロードステップをさらに備えたことを特徴とする請求項６に記載の映像配信システムにおける受信方法。
【請求項９】
コンピュータを請求項１ないし４のいずれか１項に記載の各手段として機能させるためのプログラム。
【請求項１０】
コンピュータを請求項１ないし４のいずれか１項に記載の各手段として機能させるためのプログラムを記録したコンピュータ読み取り可能な記録媒体。
【発明の詳細な説明】
【技術分野】
【０００１】
本発明は、未契約者に対して映像をプロモーションするための映像配信システムにおける送出装置、受信装置、送出方法、受信方法、プログラムおよびそのプログラムを記録した記録媒体に関する。
【背景技術】
【０００２】
現在、ＢＳデジタル放送では、自動表示メッセージと呼ばれる加入促進のための表示が行われている。例えばＮＨＫのＢＳ放送では、ＢＳ設置連絡を呼びかける表示が出される。またＷＯＷＯＷでは、７日間キャンペーンあるいは１５日間キャンペーンの表示が出されながら、背後では映像が表示される期間を経て、その後は、プロモーションチャンネルへのリンクのみが表示されるようになっている。
【０００３】
これらの表示を実現するための規定は、非特許文献１に記載されている。
【０００４】
現在、上述のような加入促進表示は、サービス事業者側で作成され、受信機による制御により画面上に表示される。そのため、当然ながら契約済みの顧客に対しては表示しないという制御は可能であるが、全ての未契約者において、名前などのテキストの一部を除いて表示は共通である。
【０００５】
図７は従来のＢＳデジタル放送における映像配信システムの構成例を表し、７１は送出装置、７２は受信装置を各々示している。送出装置７１において、７３は送出する映像を蓄積する映像蓄積装置である。７４は、番組に関する情報を蓄積する番組関連情報ＤＢ（データベース）であり、７５は顧客に関する情報を蓄積する顧客ＤＢ（データベース）である。
【０００６】
７６は送出する映像に対してスクランブルをかけるスクランブラである。７７は番組関連情報ＤＢ７４を参照し、番組情報を生成する番組情報生成装置である。７８は番組関連情報ＤＢ７４を参照し、共通ＥＭＭメッセージを生成する共通ＥＭＭメッセージ生成装置である。７９は、番組関連情報ＤＢ７４と顧客ＤＢ７５を参照し、個別ＥＭＭメッセージを生成する個別ＥＭＭメッセージ生成装置である。
【０００７】
８０は、スクランブラ７６の出力である暗号化された映像と、番組情報生成装置７７の出力である番組情報と、共通ＥＭＭメッセージ生成装置７８の出力である共通ＥＭＭメッセージと、個別ＥＭＭメッセージ生成装置７９の出力である個別ＥＭＭメッセージと、を多重化して伝送する多重化伝送装置である。
【０００８】
受信装置７２において、８１は、前記多重化されて伝送されてきた受信情報を分離する受信情報分離装置８１である。８２は、前記分離された暗号化されている映像を復号化するデスクランブラであり、８３は、前記分離された番組に関する情報を復号する番組情報復号装置である。
【０００９】
８４は、番組情報復号装置８３の出力を受け取り、再生可否の判定を行う再生可否判定装置である。８５は、前記分離された個別ＥＭＭメッセージを記憶する個別メッセージ記憶装置である。
【００１０】
８６は、受信情報分離装置８１により分離された共通ＥＭＭメッセージと、個別メッセージ記憶装置８５に記憶された個別ＥＭＭメッセージとを用いてメッセージを作成するメッセージ作成装置である。
【００１１】
さらに受信装置７２には、デスクランブル８２で復号化された映像に、メッセージ作成装置８６で作成したメッセージを重畳して表示映像を作成する表示映像作成装置（図示省略）を備えている。
【００１２】
送出装置７１側の動作を、図８のフローチャートとともに説明する。まずステップＳ８０１において、全ての映像について読み出しが完了しているか否か調べ、読み出しが完了していれば、処理を終了する。
【００１３】
次にステップＳ８０２において、番組情報生成装置７７が、番組関連情報ＤＢ７４に記憶されている番組関連情報を読み出す。
【００１４】
次にステップ８０３において、番組情報生成装置７７が番組関連情報ＤＢ７４を参照し番組情報を生成する。
【００１５】
次にステップＳ８０４において、共通ＥＭＭメッセージ生成装置７８が番組関連情報ＤＢ７４を参照し共通ＥＭＭメッセージを生成する。
【００１６】
次に、個別ＥＭＭメッセージ生成装置７９が顧客ＤＢ７５から顧客情報を読み出し（ステップＳ８０５）、該情報と、番組関連情報ＤＢ７４の情報とに基づいて個別ＥＭＭメッセージを生成する（ステップＳ８０６）。
【００１７】
次に映像蓄積装置７３に蓄積された映像を読み出し（ステップＳ８０７）、該映像に対してスクランブラ７６がスクランブルをかける（ステップＳ８０８）。
【００１８】
次にステップＳ８０９において、多重化伝送装置８０が、前記スクランブル化された映像、前記生成された番組情報、共通ＥＭＭメッセージおよび個別ＥＭＭメッセージを多重化して送出しステップＳ８０１へ戻る。
【００１９】
また受信装置７２側の動作を図９に示す。図９のフローチャートにおいて、まず受信情報分離装置８１が、受信した信号を、番組関連情報、共通ＥＭＭメッセージ、個別ＥＭＭメッセージ、スクランブル化された映像に分離する（ステップＳ９０１）。
【００２０】
次にステップＳ９０２において、番組情報復号装置８３が番組関連情報を復号する。
【００２１】
次にステップＳ９０３において、再生可否判定装置８４が、番組情報復号装置８３の出力を受け取り、再生可否の判定を行う。
【００２２】
次に再生可の場合はステップＳ９０４において、前記分離された暗号化されている映像を、デスクランブラ８２が復号化する。
【００２３】
次にステップＳ９０５において、表示映像作成装置（図示省略）が、前記復号化された映像に、メッセージ作成装置８６で作成されたメッセージを重畳して表示映像を作成する。
【００２４】
尚、ステップＳ９０５における具体的な処理は図１０のフローチャートに沿って実行される。
【００２５】
図１０において、メッセージ作成装置８６は、個別メッセージ記憶装置８５から個別ＥＭＭメッセージを読み出し（ステップＳ１００１）、該個別ＥＭＭメッセージと、前記分離された共通ＥＭＭメッセージを用いてメッセージを作成し（ステップＳ１００２）、該作成したメッセージを前記復号化された映像に重畳する（ステップＳ１００３）。
【非特許文献１】ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ）ＴＲ−Ｂ１５：ＢＳ／広帯域ＣＳデジタル放送運用規定（策定年月日平成１１年１０月２６日）、ＵＲＬ：ｈｔｔｐ：／／ｗｗｗ．ａｒｉｂ．ｏｒ．ｊｐ／ｔｙｏｓａｋｅｎｋｙｕ／ｋｉｋａｋｕ  ｈｏｓｏ／ｈｏｓｏ  ｔｒ−ｂ０１５．ｈｔｍｌ  最終アクセス日：２００８年１月１５日
【発明の開示】
【発明が解決しようとする課題】
【００２６】
上記の通り、図７〜図1０のような既存の映像配信システムでは、未契約者のすべてに同一のプロモーション（映像の一部が遮蔽される）が行われ、ユーザ毎に異なるプロモーションを行うことが不可能であった。例えば、普段から頻繁に購買する未契約者に対しては、映像の内容把握が容易なプロモーション、一方、プロモーション状態での視聴が多く映像を購入しない未契約者に対しては、内容把握が非常に難しいプロモーション、というような顧客タイプによるプロモーションの使い分けができないものであった。
【００２７】
本発明は上記課題を解決するものであり、その目的は、未契約者毎に異なるプロモーション効果により映像を配信することができる映像配信システムにおける送出装置、受信装置、送出方法、受信方法、プログラムおよびそのプログラムを記録した記録媒体を提供することにある。
【課題を解決するための手段】
【００２８】
上記課題を解決するための請求項１に記載の映像配信システムにおける送出装置は、映像を送出する送出装置および該送出装置から送出された映像を受信する受信装置を備えた映像配信システムにおける送出装置であって、前記映像配信システムには受信装置で実行される個別プログラムが設けられ、送出する映像を蓄積する映像蓄積手段と、番組に関する情報を蓄積する番組関連情報データベースと、顧客に関する情報を蓄積する顧客データベースと、送出する映像を暗号化する暗号化手段と、前記番組関連情報データベースを参照し番組情報を生成する番組情報生成手段と、前記顧客データベースと番組関連情報データベースを参照し、顧客ＩＤと、該顧客ＩＤ向けのメッセージの組を有して構成され、前記個別プログラムを指定する個別ＥＭＭメッセージを生成する個別ＥＭＭメッセージ生成手段と、前記番組関連情報データベースを参照し共通ＥＭＭメッセージを生成する共通ＥＭＭメッセージ生成手段と、前記暗号化手段により暗号化された映像、前記番組情報生成手段の出力である番組情報、前記個別ＥＭＭメッセージ生成手段の出力である個別ＥＭＭメッセージおよび前記共通ＥＭＭメッセージ生成装置の出力である共通ＥＭＭメッセージを多重化して前記受信装置に伝送する多重化伝送手段とを備えたことを特徴としている。
【００２９】
また請求項２に記載の映像配信システムにおける受信装置は、映像を送出する送出装置および該送出装置から送出された映像を受信する受信装置を備えた映像配信システムにおける受信装置であって、前記映像配信システムには受信装置で実行される個別プログラムが設けられ、顧客ＩＤおよび該顧客ＩＤ向けのメッセージの組を有して構成された前記個別プログラムを指定する個別ＥＭＭメッセージと、暗号化された映像と、番組情報と、番組関連情報に基づいて生成された共通ＥＭＭメッセージとを多重化して伝送する多重化伝送手段を備えた送出装置から伝送されてきた情報を分離する受信情報分離手段と、前記受信情報分離手段により分離された番組に関する情報を復号する番組情報復号手段と、前記番組情報復号手段の出力に基づいて再生可否の判定を行う再生可否判定手段と、前記再生可否判定手段の判定結果に応じて、前記受信情報分離手段により分離された暗号化されている映像を復号化する復号化手段と、前記個別プログラムと、前記受信情報分離手段により分離された共通ＥＭＭメッセージおよび個別ＥＭＭメッセージとを用いて、前記復号化された映像の受信装置上での表示を作成する顧客映像作成手段とを備えたことを特徴としている。
【００３０】
また請求項３に記載の映像配信システムにおける送出装置は、前記送出装置は前記受信装置で実行される個別プログラムを送出する個別プログラム送出手段をさらに備え、前記受信装置は、前記個別プログラム送出手段から前記個別プログラムをダウンロードすることを特徴としている。
【００３１】
また請求項４に記載の映像配信システムにおける受信装置は、前記送出装置は前記受信装置で実行される個別プログラムを送出する個別プログラム送出手段をさらに備え、前記受信装置は、前記個別プログラム送出手段から前記個別プログラムをダウンロードすることを特徴としている。
【００３２】
また請求項５に記載の映像配信システムにおける送出方法は、映像を送出する送出装置および該送出装置から送出された映像を受信する受信装置を備えた映像配信システムにおける送出方法であって、前記映像配信システムが、前記受信装置で実行される個別プログラムを設けるステップと、番組情報生成手段が、番組に関する情報を蓄積した番組関連情報データベースを参照して番組情報を生成する番組情報生成ステップと、共通ＥＭＭメッセージ生成手段が、前記番組関連情報データベースを参照し共通ＥＭＭメッセージを生成する共通ＥＭＭメッセージ生成ステップと、個別ＥＭＭメッセージ生成手段が、顧客に関する情報を蓄積した顧客データベースおよび前記番組関連情報データベースを参照して、顧客ＩＤと、該顧客ＩＤ向けのメッセージの組を有して構成され、前記個別プログラムを指定する個別ＥＭＭメッセージを生成する個別ＥＭＭメッセージ生成ステップと、前記番組関連情報データベースを参照し共通ＥＭＭメッセージを生成する共通ＥＭＭメッセージ生成手段と、暗号化手段が、送出する映像を暗号化する暗号化ステップと、多重化伝送手段が、前記暗号化ステップにより暗号化された映像、前記番組情報生成ステップにより生成された番組情報、前記個別ＥＭＭメッセージ生成ステップにより生成された個別ＥＭＭメッセージおよび前記共通ＥＭＭメッセージ生成ステップにより生成された共通ＥＭＭメッセージを多重化して前記受信装置に伝送する多重化伝送ステップとを備えたことを特徴としている。
【００３３】
また請求項６に記載の映像配信システムにおける受信方法は、映像を送出する送出装置および該送出装置から送出された映像を受信する受信装置を備えた映像配信システムにおける受信方法であって、前記映像配信システムが、前記受信装置で実行される個別プログラムを設けるステップと、顧客ＩＤおよび該顧客ＩＤ向けのメッセージの組を有して構成された前記個別プログラムを指定する個別ＥＭＭメッセージと、暗号化された映像と、番組情報と、番組関連情報に基づいて生成された共通ＥＭＭメッセージとを多重化して伝送する多重化伝送手段を備えた送出装置から伝送されてきた情報を、受信情報分離手段が分離する受信情報分離ステップと、番組情報復号手段が、前記受信情報分離ステップにより分離された番組に関する情報を復号する番組情報復号ステップと、再生可否判定手段が、前記番組情報復号ステップで復号された番組情報に基づいて再生可否の判定を行う再生可否判定ステップと、復号化手段が、前記再生可否判定ステップの判定結果に応じて、前記受信情報分離ステップにより分離された暗号化されている映像を復号化する復号化ステップと、顧客映像作成手段が、前記個別プログラムと、前記受信情報分離ステップにより分離された共通ＥＭＭメッセージおよび個別ＥＭＭメッセージとを用いて、前記復号化ステップにより復号化された映像の、受信装置上での表示を作成する顧客映像作成ステップとを備えたことを特徴としている。
【００３４】
また請求項７に記載の映像配信システムにおける送出方法は、個別プログラム送出手段が、前記受信装置で実行される個別プログラムを送出する個別プログラム送出ステップをさらに備え、前記受信装置は、前記個別プログラム送出手段から前記個別プログラムをダウンロードすることを特徴としている。
【００３５】
また請求項８に記載の映像配信システムにおける受信方法は、前記送出装置には、前記受信装置で実行される個別プログラムを送出する個別プログラム送出手段が設けられ、前記受信装置のダウンロード手段が、前記個別プログラム送出手段から前記個別プログラムをダウンロードするダウンロードステップをさらに備えたことを特徴としている。
【００３６】
また請求項９に記載のプログラムは、コンピュータを請求項１ないし４のいずれか１項に記載の各手段として機能させるためのプログラムであることを特徴としている。
【００３７】
また請求項１０に記載の記録媒体は、コンピュータを請求項１ないし４のいずれか１項に記載の各手段として機能させるためのプログラムを記録したコンピュータ読み取り可能な記録媒体であることを特徴としている。
【００３８】
上記構成によれば、未契約者毎に異なるプロモーション効果により映像を配信することが可能となる。すなわち、従来のように、メッセージをただ単に、復号化された映像の上に重畳表示するものではなく、復号化された映像に対して個別プログラムを実行しているので、映像解析を用いた表示、例えば顔認識をしてその顔部分の解像度を下げる、盛り上がっている部分を検出してそのタイミングで明度を下げる、などが可能である。
【発明の効果】
【００３９】
本発明によれば、未契約者の属性毎に異なるプロモーション映像の配信が可能になることから、契約率の向上が期待できる。
【００４０】
具体的には、プロモーションから映像購入につながる頻度の高い未契約者に対しては、内容が伝わりやすいプロモーションを、一方、常にプロモーション映像で満足し、実際の映像購入が行われない未契約者に対しては、内容がわかりにくいプロモーション映像を提供するというような、未契約者の行動特性などの属性に従ったプロモーション映像配信が可能である。
【００４１】
この際、送出装置側でのシステム変更が少ないため、導入コストを抑えることができる。
【００４２】
また、本発明は、現在自動表示メッセージの表示が行われているＢＳデジタル放送だけでなく、ＩＰＴＶの有料放送やＩＰＴＶを用いたＢＳデジタル放送の再送信、ＣＡＴＶその他様々な映像配信形態で実施することができる。
【発明を実施するための最良の形態】
【００４３】
以下、図面を参照しながら本発明の実施の形態を説明するが、本発明は下記の実施形態例に限定されるものではない。図１は本発明のＢＳデジタル放送における映像配信システムの構成例を表し１００は送出装置、２００は受信装置を各々示している。
【００４４】
送出装置１００において、１は送出する映像を蓄積する映像蓄積手段としての映像蓄積装置である。２は番組に関する情報を蓄積する番組関連情報ＤＢ（データベース）であり、３は顧客に関する情報を蓄積する顧客ＤＢ（データベース）である。
【００４５】
４は送出する映像に対してスクランブルをかける暗号化手段としてのスクランブラである。５は、番組関連情報ＤＢ２を参照し番組情報を生成する、番組情報生成手段としての番組情報生成装置である。６は番組関連情報ＤＢ２を参照し共通ＥＭＭメッセージを生成する、共通ＥＭＭメッセージ生成手段としての共通ＥＭＭメッセージ生成装置である。
【００４６】
７は、番組関連情報ＤＢ２と顧客ＤＢ３を参照し個別ＥＭＭメッセージを生成する、個別ＥＭＭメッセージ生成手段としての個別ＥＭＭメッセージ生成装置である。
【００４７】
８は、スクランブラ４の出力である暗号化された映像と、番組情報生成装置５の出力である番組情報と、共通ＥＭＭメッセージ生成装置６の出力である共通ＥＭＭメッセージと、個別ＥＭＭメッセージ生成装置７の出力である個別ＥＭＭメッセージとを多重化して伝送する、多重化伝送手段としての多重化伝送装置である。
【００４８】
９は、受信装置２００で実行される個別プログラムを送出する、個別プログラム送出手段としての個別プログラム送出装置である。
【００４９】
受信装置２００において、１０は、前記多重化されて伝送されてきた受信情報を分離する、受信情報分離手段としての受信情報分離装置である。１１は、前記分離された暗号化されている映像を復号化する、復号手段としてのデスクランブラであり、１２は、前記分離された番組情報を復号する、番組情報復号手段としての番組情報復号装置である。
【００５０】
１３は、番組情報復号装置１２の出力を受け取り、再生可否の判定を行う、再生可否判定手段としての再生可否判定装置である。１４は、前記分離された個別ＥＭＭメッセージを記憶する、個別メッセージ記憶手段としての個別メッセージ記憶装置である。
【００５１】
１５は、受信装置２００で実行される個別プログラム、例えば送出装置１００の個別プログラム送出装置９から送出された個別プログラムを記憶する個別プログラム記憶装置である。
【００５２】
１６は、受信情報分離装置１０により分離された共通ＥＭＭメッセージと、個別メッセージ記憶装置１４に記憶された個別ＥＭＭメッセージと、個別プログラム記憶装置１５に記憶された個別プログラムおよびデスクランブラ１１により復号化された映像とを用いて、受信装置２００上での表示（顧客映像）を作成する、顧客映像作成手段としての顧客映像作成装置である。
【００５３】
前記送出装置１００および受信装置２００は例えばコンピュータにより構成されている。前記個別プログラム送出装置９は、受信機端末（受信装置２００）において実行されるプログラムを、受信装置２００に送出する機能を持つが、この送信方法は規定しない。例えば、受信機出荷時にあらかじめ決まったプログラムをおいておいても構わない。また、受信機の起動時あるいは終了時に、受信機が自動的に更新プログラムの有無を個別プログラム送出装置９に問い合わせ、更新がある場合にはダウンロードするように構成してもよい。さらには、プログラム自体を配信するように構成してもよい。
【００５４】
また、個別ＥＭＭメッセージ生成装置７では、受信機端末において実行する個別プログラムを、顧客ＩＤ毎に指定することが可能である。
【００５５】
次に送出装置１００側の動作を、図２のフローチャートとともに説明する。まずステップＳ２０１において、全ての映像について読み出しが完了しているか否か調べ、読み出しが完了していれば、処理を終了する。
【００５６】
次にステップＳ２０２において、個別プログラムを何らかの手段により受信装置２００へ送出する。図１の実施例では個別プログラム送出装置９が送出を行うが、本発明は、この個別プログラムの送出手段を問わない。当該ステップの様に、映像配信時に同時に放送波に重畳させて送出するのもひとつの方法である。また、あらかじめ、受信機作成時に記録しておくのもひとつの方法である。その他、ネットワークを用いた伝送手段を用いても構わない。このような場合、実際の映像配信とは独立した処理として実施され、当該ステップＳ２０２で行う必要はない。
【００５７】
ステップＳ２０３において、番組情報生成装置５が、番組関連情報ＤＢ２に記憶されている番組関連情報を読み出す。
【００５８】
次にステップ２０４において、番組情報生成装置５が番組関連情報ＤＢ２を参照し番組情報を生成する。
【００５９】
次にステップＳ２０５において、共通ＥＭＭメッセージ生成装置６が番組関連情報ＤＢ２を参照し共通ＥＭＭメッセージを生成する。
【００６０】
次に、個別ＥＭＭメッセージ生成装置７が顧客ＤＢ３から個別ＥＭＭメッセージ生成に必要な顧客情報を読み出し（ステップＳ２０６）、該情報と、番組関連情報ＤＢ２の情報とに基づいて個別ＥＭＭメッセージを生成する（ステップＳ２０７）。
【００６１】
次に映像蓄積装置１に蓄積された映像を読み出し（ステップＳ２０８）、該映像に対してスクランブラ４がスクランブルをかける（ステップＳ２０９）。
【００６２】
次にステップＳ２１０において、多重化伝送装置８が、前記スクランブル化された映像、前記生成された番組情報、共通ＥＭＭメッセージおよび個別ＥＭＭメッセージを多重化して送出しステップＳ２０１へ戻る。
【００６３】
次に受信装置２００側の動作を図３に示すフローチャートとともに説明する。図３において、まずステップＳ３０１において、個別プログラム送出装置９から送出された個別プログラムを受信し、個別プログラム記憶装置１５への書き込みを行う。
【００６４】
ただし当該ステップは、送出側において、個別プログラム送出が行われるタイミングに依存する。例えば、あらかじめ受信装置２００に保持されているような場合には、当該ステップＳ３０１は不要である。
【００６５】
また、特定のタイミングでネットワークを経由して、コンピュータがプログラムをダウンロードするような形態に構成してもよい。
【００６６】
次にステップＳ３０２において、受信情報分離装置１０が、受信した信号を、番組情報、共通ＥＭＭメッセージ、個別ＥＭＭメッセージ、スクランブル化された映像に分離する。
【００６７】
次にステップＳ３０３において、番組情報復号装置１２が番組情報を復号する。
【００６８】
次にステップＳ３０４において、再生可否判定装置１３が、番組情報復号装置１２の出力を受け取り、再生可否の判定を行う。
【００６９】
次に再生可の場合はステップＳ３０５において、デスクランブラ１１が前記分離された暗号化されている映像の復号化を行う。
【００７０】
次にステップＳ３０６において、顧客映像作成装置１６が、前記デスクランブラ１１で復号化された映像、前記分離された共通ＥＭＭメッセージ、個別メッセージ記憶装置１４に記憶された個別ＥＭＭメッセージおよび個別プログラム記憶装置１５に記憶された個別プログラムを元に顧客映像の作成を行う。
【００７１】
ここで、前記図２のステップＳ２０７で作成する、個別ＥＭＭメッセージで送信される情報の例を表１に示す。
【００７２】
【表１】
0005070070.tif 000002
【００７３】
表１の個別ＥＭＭメッセージは、受信装置２００で実行される個別プログラムを指定するためのものであり、顧客ＩＤと、顧客映像作成に用いる個別プログラムのリストとの組で構成されている。
【００７４】
個別ＥＭＭメッセージは、顧客毎の情報を送るため、各顧客（の受信装置）が自分宛の情報を識別することが可能なキーとなる情報が必要である。そのため、顧客ＩＤと、該顧客ＩＤ向けのメッセージの組で送出する。
【００７５】
また、顧客の情報であるため、各顧客向けのメッセージ部分については、暗号化されることがあるが、実際の送出時のフォーマットあるいは、メッセージの暗号化要否などについては、限定するものではない。
【００７６】
本発明において、個別ＥＭＭメッセージは、受信機端末（受信装置２００）における顧客映像作成に用いる個別プログラムのＩＤである。すなわち、受信機端末では、個別ＥＭＭメッセージで指定された個別プログラムＩＤの個別プログラムを実行することで、顧客映像を作成する。
【００７７】
また、表２のように記述することで、引数（プログラム実行時に外部から付与する情報）を与えることとしても構わない。
【００７８】
【表２】
0005070070.tif 000003
【００７９】
表２の例では、顧客ＩＤ００１に対して、適用するプログラムは２つであり、個別プログラムＩＤ１を引数１０で、また、個別プログラムＩＤ５を引数２で、適用することを意味している。
【００８０】
同様に、顧客ＩＤ００２に対しては、適用するプログラムは１つであり、個別プログラムＩＤ０を引数なしで適用している。
【００８１】
前記ステップＳ２０７について表２に示した引数を伴って個別プログラム設定を行う場合の詳細フローチャートを図４に示す。まずステップＳ４０１において、全ての顧客についての情報をセットしたか確認し、まだであればステップＳ４０２へ移行し、全ての顧客についての情報がセットされた状態であれば処理を終了する。ステップＳ４０２では顧客ＩＤを次に進める。
【００８２】
次にステップＳ４０３において、当該顧客ＩＤについて、ステップＳ２０６で読み出した情報に基づいて、適用プログラム数、適用プログラムＩＤ、該プログラムにおける引数の設定を行い、ステップＳ４０１へ移行する。
【００８３】
この操作によって、前記表２のようなテーブルが作成される。この情報は、全顧客にマルチキャストされ、受信機端末（受信装置２００）では、顧客ＩＤを参照することで、自受信機端末宛の情報か否かの判断を行い、個別プログラムを実行する。
【００８４】
全顧客の情報がマルチキャストされるため、個別ＥＭＭメッセージについては暗号化などの対処が必要であるが、必要に応じて暗号化などの処理を行うことは構わない。
【００８５】
本実施例において、個別プログラムは、受信装置２００内の個別プログラム記憶装置１５に保持される。個別プログラム記憶装置１５の情報の例を表３に示す。
【００８６】
【表３】
0005070070.tif 000004
【００８７】
表３の様に、個別プログラムを一意に指す個別プログラムＩＤと、そのプログラムへのポインタ（名称など）を有する。
【００８８】
ここで、前記図３のステップＳ３０６（顧客映像作成ステップ）の詳細フローチャートを図５に示す。まずステップＳ５０１において、顧客映像作成装置１６が個別メッセージ記憶装置１４から個別ＥＭＭメッセージを読み出す。次にステップＳ５０２において、個別プログラム記憶装置１５から個別プログラムを読み出す。次にステップＳ５０３において、デスクランブラ１１によりデスクランブルされた映像に対して、指定された個別プログラムを実行する。
【００８９】
これによって、デスクランブルされた映像に、個別プログラムによって、受信装置２００毎に指定された個別プログラムによる表示を実施することができる。
【００９０】
これに対して、従来の例えば図７〜図１０に記載の映像配信システムは、前述したように、重畳するメッセージのみを作成し、デスクランブルされた映像の上に重畳しているため、映像そのものを何ら変化させることはできない。
【００９１】
一方、本発明では、デスクランブルされた映像に対して個別のプログラムを実行しているので、映像解析を用いた表示、例えば顔認識をしてその顔部分の解像度を下げる、盛り上がっている部分を検出してそのタイミングで明度を下げるなど、が可能である。
【００９２】
これを表３を例にとって説明する。表３の個別プログラムＩＤ０はオリジナルをそのまま表示することを意味している。また、個別プログラムＩＤ１は、メッセージを重畳表示する。また、個別プログラムＩＤ２は、画像を暗くすることを意味している。また、個別プログラムＩＤ３は、顔を検出し、検出された顔を塗りつぶすことを、プログラムＩＤＮは、画像の移動平均を取ることを各々意味している。
【００９３】
画像を暗くする場合や、画像の移動平均を取る場合、その程度の指定が必要になる場合がある。送出装置１００側で、表２の様に個別ＥＭＭメッセージで引数を送出可能な場合にはこの引数を用いて、指定することが想定できる。しかし、引数を取れない場合には、その引数ごとに個別プログラムを作成し、受信装置２００に保持させても構わない。
【００９４】
この結果の例を図６に示す。図６において、未契約者１には、メッセージ表示プログラムと、明度低下プログラムを、未契約者２には、白黒２値化プログラムを、未契約者３には、顔を検出し見えなくするプログラムを、未契約者４には、明度上昇プログラムを、未契約者５には、時間経過にともなって明度が低下するプログラムと、メッセージ表示プログラムを、各々適用している。
【００９５】
本発明によれば、このような、未契約者ごとに対する加入促進の使い分けが可能となる。これによって契約率の向上が期待できる。
【００９６】
また、本発明の図１の構成と図７の従来の映像配信システムの構成を比較すれば、本発明において、送出装置側の変更がほとんど不要であることが分かる。
【００９７】
また、コンピュータを前記映像配信システムにおける送出装置、受信装置の各手段として機能させるためのプログラムを構築するものである。
【００９８】
また、本実施形態の映像配信システムにおける送出装置、受信装置における各手段の一部もしくは全部の機能をコンピュータのプログラムで構成し、そのプログラムをコンピュータを用いて実行して本発明を実現することができること、本実施形態の映像配信システムにおける送出方法、受信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ，ＣＤ−ＲＷ，ＨＤＤ，リムーバブルディスクなどに記録して、保存したり、配布したりすることが可能である。また、上記のプログラムをインターネットや電子メールなど、ネットワークを通して提供することも可能である。
【図面の簡単な説明】
【００９９】
【図１】本発明の映像配信システムの一実施形態例を示すブロック図。
【図２】本発明の映像配信システムの送出装置の動作の一例を示すフローチャート。
【図３】本発明の映像配信システムの受信装置の動作の一例を示すフローチャート。
【図４】図２のフローチャートにおける要部の詳細な処理を示すフローチャート。
【図５】図３のフローチャートにおける要部の詳細な処理を示すフローチャート。
【図６】本発明の一実施形態例による個別プログラムごとの表示例を示す説明図。
【図７】従来の映像配信システムの一例を示すブロック図。
【図８】従来の映像配信システムの送出装置の動作の一例を示すフローチャート。
【図９】従来の映像配信システムの受信装置の動作の一例を示すフローチャート。
【図１０】図９のフローチャートにおける要部の詳細な処理を示すフローチャート。
【符号の説明】
【０１００】
１…映像蓄積装置、２…番組関連情報ＤＢ、３…顧客ＤＢ、４…スクランブラ、５…番組情報生成装置、６…共通ＥＭＭメッセージ生成装置、７…個別ＥＭＭメッセージ生成装置、８…多重化伝送装置、９…個別プログラム送出装置、１０…受信情報分離装置、１１…デスクランブラ、１２…番組情報復号装置、１３…再生可否判定装置、１４…個別メッセージ記憶装置、１５…個別プログラム記憶装置、１６…顧客映像作成装置、１００…送出装置、２００…受信装置。
【図１】
0005070070.tif 000005
【図２】
0005070070.tif 000006
【図３】
0005070070.tif 000007
【図４】
0005070070.tif 000008
【図５】
0005070070.tif 000009
【図６】
0005070070.tif 000010
【図７】
0005070070.tif 000011
【図８】
0005070070.tif 000012
【図９】
0005070070.tif 000013
【図１０】
0005070070.tif 000014